(57)【要約】【課題】放送局側の機能実現のみですべての視聴者に対してＣＭ効果の増大を図ること。【解決手段】営放システムサーバ１が、データサーバ２が、営放システムサーバ１より受信した制御情報をもとに家庭用テレビ３に対し放送を指示し、家庭用テレビ３が、設定されたどのカテゴリーを所望するかの選択を促す制御情報に基づいて、視聴者にＣＭイベント直前にチャンネルを切替える操作により、ＣＭイベント直前に視聴するＣＭのカテゴリーを選択させるように表示する。【選択図】図１
2008270906.tif 000002
【特許請求の範囲】
【請求項１】
営放システムサーバと、データサーバと、家庭用受信機を含む放送システムであって、
前記営放システムサーバは、同時刻に複数素材のＣＭを放送するため、番組のＣＭ部分だけの帯域を分割して各々の帯域に対して制御情報を設定する手段と、
視聴者にどのカテゴリーを所望するかの選択を促す制御情報を設定する手段と、を備え、
前記データサーバは、前記営放システムサーバより受信した制御情報をもとに家庭用受信機に対し放送を指示し、
家庭用受信機は、設定されたどのカテゴリーを所望するかの選択を促す制御情報に基づいて、視聴者にＣＭイベント直前にチャンネルを切替える操作により、ＣＭイベント直前に視聴するＣＭのカテゴリーを選択させるように表示することを特徴とする放送システム。
【請求項２】
前記カテゴリーは、年代であることを特徴とする請求項１記載の放送システム。
【請求項３】
同時刻に複数素材のＣＭを放送するため、番組のＣＭ部分だけの帯域を分割して各々の帯域に対して制御情報を設定する手段と、
視聴者にどのカテゴリーを所望するかの選択を促す制御情報を設定する手段と、を備え、
データサーバに制御情報をもとに家庭用受信機に対し放送を指示させ、
家庭用受信機に、設定されたどのカテゴリーを所望するかの選択を促す制御情報に基づいて、視聴者にＣＭイベント直前にチャンネルを切替える操作により、ＣＭイベント直前に視聴するＣＭのカテゴリーを選択させるように表示させることを特徴とする営放システムサーバ。
【請求項４】
前記カテゴリーは、年代であることを特徴とする請求項１記載の放送システム。
【請求項５】
営放システムサーバと、データサーバと、家庭用受信機を利用した放送制御方法であって、
前記営放システムサーバが、同時刻に複数素材のＣＭを放送するため、番組のＣＭ部分だけの帯域を分割して各々の帯域に対して制御情報を設定するステップと、
視聴者にどのカテゴリーを所望するかの選択を促す制御情報を設定するステップと、
前記データサーバが、前記営放システムサーバより受信した制御情報をもとに家庭用受信機に対し放送を指示するステップと、
家庭用受信機が、設定されたどのカテゴリーを所望するかの選択を促す制御情報に基づいて、視聴者にＣＭイベント直前にチャンネルを切替える操作により、ＣＭイベント直前に視聴するＣＭのカテゴリーを選択させるように表示するステップと、
を有することを特徴とする放送制御方法。
【請求項６】
前記カテゴリーは、年代であることを特徴とする請求項５記載の放送制御方法。
【請求項７】
コンピュータシステムに請求項１から４のいずれか１項に記載の機能を実現させることを特徴とするプログラム。
【発明の詳細な説明】
【技術分野】
【０００１】
本発明は、テレビ視聴者に対しターゲット毎にＣＭ内容の変更を行うための営放システムサーバからの制御情報の設定技術に関する。
【背景技術】
【０００２】
現在の放送では、番組ひとつに対し、ＣＭ内容は同時刻にひとつのＣＭ内容しか放送できない。
【０００３】
また、視聴者のターゲットが把握できる仕組みがなかった。このため、ターゲット毎にあわせたＣＭ内容を放送できず広告効果を最大限まで活かせていなかった。
【０００４】
ここで、番組と、帯域分割して同時に送信されるＣＭとを交互に受信し、番組データとＣＭデータのヘッダ部を検出し、このヘッダ部により番組とされた受信データはリアルタイムに画面上に表示され、ヘッダ部によりＣＭとされた受信データは、そのヘッダ部に記憶されているカテゴリーが予め設定されたカテゴリーと同一のＣＭだけが抽出され、リアルタイムに画面上に表示され、同時に送信されるＣＭ中、設定したＣＭのみを表示することができるので、チャンネル数の拡大やＣＭの表示回数数を増やすことなくＣＭ効果を上げることができる技術が提案されている（例えば、特許文献１参照）。
【特許文献１】特開２００１−１４５０３９号公報
【発明の開示】
【発明が解決しようとする課題】
【０００５】
しかしながら、従来技術では、テレビジョン受信機側にて予めカテゴリー情報を登録しておく必要が有るため、受信機の機種によりカテゴリー情報登録が不可能な機種も存在するため、最大限には効果を発揮できなかった。
【０００６】
本発明は、以上のような課題を解決するためになされたもので、テレビジョン受信機側への準備を必要としなく、放送局側の機能実現のみですべての視聴者に対してＣＭ効果の増大を図ることを目的とする。視聴者はＣＭイベント直前にチャンネルを切替える操作のみであり、受信機の改善も不要となる。
【課題を解決するための手段】
【０００７】
本発明は、営放システムサーバと、データサーバと、家庭用受信機を含む放送システムであって、
前記営放システムサーバは、同時刻に複数素材のＣＭを放送するため、番組のＣＭ部分だけの帯域を分割して各々の帯域に対して制御情報を設定する手段と、
視聴者にどのカテゴリーを所望するかの選択を促す制御情報を設定する手段と、を備え、
前記データサーバは、前記営放システムサーバより受信した制御情報をもとに家庭用受信機に対し放送を指示し、
家庭用受信機は、設定されたどのカテゴリーを所望するかの選択を促す制御情報に基づいて、視聴者にＣＭイベント直前にチャンネルを切替える操作により、ＣＭイベント直前に視聴するＣＭのカテゴリーを選択させるように表示する放送システムを提供する。
【０００８】
また、本発明は、同時刻に複数素材のＣＭを放送するため、番組のＣＭ部分だけの帯域を分割して各々の帯域に対して制御情報を設定する手段と、
視聴者にどのカテゴリーを所望するかの選択を促す制御情報を設定する手段と、を備え、
データサーバに制御情報をもとに家庭用受信機に対し放送を指示させ、
家庭用受信機に、設定されたどのカテゴリーを所望するかの選択を促す制御情報に基づいて、視聴者にＣＭイベント直前にチャンネルを切替える操作により、ＣＭイベント直前に視聴するＣＭのカテゴリーを選択させるように表示させる営放システムサーバを提供する。
【０００９】
また、本発明は、営放システムサーバと、データサーバと、家庭用受信機を利用した放送制御方法であって、
前記営放システムサーバが、同時刻に複数素材のＣＭを放送するため、番組のＣＭ部分だけの帯域を分割して各々の帯域に対して制御情報を設定するステップと、
視聴者にどのカテゴリーを所望するかの選択を促す制御情報を設定するステップと、
前記データサーバが、前記営放システムサーバより受信した制御情報をもとに家庭用受信機に対し放送を指示するステップと、
家庭用受信機が、設定されたどのカテゴリーを所望するかの選択を促す制御情報に基づいて、視聴者にＣＭイベント直前にチャンネルを切替える操作により、ＣＭイベント直前に視聴するＣＭのカテゴリーを選択させるように表示するステップと、
を有する放送制御方法を提供する。
【発明の効果】
【００１０】
本発明によれば、ＣＭイベント直前に視聴者が視聴するＣＭのカテゴリーを選択できるので、毎回より確実にターゲット層をとらえることができる。また、視聴者はひとりでテレビを視聴していることもあるが、家族等の複数人で視聴していることも多くあるので、毎回選択可能であるほうが、よりＣＭの効果の増大を図ることができる。
【発明を実施するための最良の形態】
【００１１】
以下、本発明の実施の形態について図面を参照して詳細に説明する。
【００１２】
図１は、本実施の形態における放送システムの全体の構成図である。本実施の形態における放送システムは「営放システムサーバ１」、「データサーバ２」にて構成される。
【００１３】
「営放システムサーバ１」は、ＣＭ情報等、放送に関する機器制御情報を記憶する情報処理装置であり、「データサーバ２」にＣＭ素材、本編素材を放送するための機器制御情報を送信する。この「営放システムサーバ１」にて、同時刻に複数素材のＣＭを放送するため、番組のＣＭ部分だけの帯域をＳＤ１／ＳＤ２／ＳＤ３と分割して各々の帯域に対して制御情報を設定できる機能を有する。また、視聴者にどの年代を所望するかの選択を促す制御情報を設定する手段を有する。
【００１４】
「データサーバ２」は、「営放システムサーバ１」より受信した機器制御情報をもとに送信所を介し、家庭用テレビ３に対し放送指示をする。
【００１５】
視聴者は、設定されたどの年代を所望するかの選択を促す制御情報に基づいて、ＣＭイベント直前にチャンネルを切替える操作により、ＣＭイベント直前に視聴するＣＭのカテゴリーを選択する。
【００１６】
次に、図２を参照して本実施の形態の動作を説明する。
【００１７】
まず、放送局は代理店と交渉し同時刻に複数素材のＣＭを放送する番組とＣＭ素材情報を準備する（Ｓ２０１）。
【００１８】
そして放送局は「営放システムサーバ１」にて、複数素材ＣＭを放送すると決定した番組のＣＭ時間に、ターゲット毎のＣＭの設定情報を分割した帯域単位に設定し、機器制御情報を作成する（Ｓ２０２）。
【００１９】
次に、ＣＭ時間前に視聴者にどの帯域にてどのターゲット向けのＣＭが放送されるかを選択させる機器制御情報を作成する（Ｓ２０３）。
【００２０】
このように「営放システムサーバ１」にて作成した機器制御情報を「データサーバ２」に送信する（Ｓ２０４）。
【００２１】
「データサーバ２」からの送信に応じて家庭用テレビ３が放送することにより、結果として視聴者は、ＣＭ時間前には該当する帯域を選択し、ターゲットに沿ったＣＭ素材を確認する（Ｓ２０５）
【００２２】
上述した本実施の形態によれば、ターゲット毎にＣＭ素材の内容変更を行うことにより、放送局の広告効果を増大させる効果がある。また、視聴者も自分のターゲットにあったＣＭ内容を選択するため、従来はＣＭ時間にチャンネルを変更していた視聴者もＣＭを視聴する効果も生まれる。
【００２３】
なお、上述する各実施の形態は、本発明の好適な実施の形態であり、本発明の要旨を逸脱しない範囲内において種々変更実施が可能である。例えば、「営放システムサーバ１」、「データサーバ２」の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００２４】
【図１】本発明の実施の形態に係る放送システムの全体の構成図である。
【図２】本発明の実施の形態に係る動作を示すフローチャートである。
【符号の説明】
【００２５】
１    営放システムサーバ
２    データサーバ
３    家庭用テレビ
【図１】
2008270906.tif 000003
【図２】
2008270906.tif 000004